(57)【要約】【課題】コネクタの接続作業に手間がかからず、ツイストペア線間のクロストークを十分に抑制することが可能なノイズ抑制ケーブルを提供する。【解決手段】ノイズ抑制ケーブル１は、複数対のツイストペア線２ａ〜２ｄと、絶縁材料としての樹脂３０に磁性粉３１が混合されて形成され、複数対のツイストペア線２ａ〜２ｄを仕切る十字介在物３と、複数対のツイストペア線２ａ〜２ｄ及び十字介在物３の周囲を被覆する絶縁材料から形成されたシース４とを備える。【選択図】図１
2015149164.tif 000002
【特許請求の範囲】
【請求項１】
複数対のツイストペア線と、
絶縁材料に磁性粉が混合されて形成され、前記複数対のツイストペア線を仕切る介在物と、
前記複数対のツイストペア線及び前記介在物の周囲を被覆する絶縁材料から形成されたシースと、
を備えたノイズ抑制ケーブル。
【請求項２】
前記介在物の前記絶縁材料に対する前記磁性粉の混合比は、５〜６０ｖｏｌ％である、
請求項１に記載のノイズ抑制ケーブル。
【請求項３】
前記介在物の前記絶縁材料は、樹脂であり、
前記介在物は、押出成形によって形成された請求項１又は２に記載のノイズ抑制ケーブル。
【請求項４】
複数対のツイストペア線と、
絶縁材料に磁性粉が混合されて形成され、前記複数対のツイストペア線を仕切るとともに前記複数対のツイストペア線の周囲を被覆するシースと、
を備えたノイズ抑制ケーブル。
【請求項５】
前記シースの前記絶縁材料に対する前記磁性粉の混合比は、５〜６０ｖｏｌ％である、
請求項４に記載のノイズ抑制ケーブル。
【請求項６】
前記シースの前記絶縁材料は、樹脂であり、
前記シースは、押出成形によって形成された請求項４又は５に記載のノイズ抑制ケーブル。
【発明の詳細な説明】
【技術分野】
【０００１】
本発明は、ノイズ抑制ケーブルに関する。
【背景技術】
【０００２】
近年、オフィス等においてＬＡＮ（Local Area Network）の導入が盛んに行われている。オフィス等におけるＬＡＮを構成する情報配線システムでは、ＬＡＮケーブルとして４対のツイストペア線を有する４対非シールド対より線（ＵＴＰケーブル）が多く用いられている。
【０００３】
従来のＬＡＮケーブルは、ツイストペア線間の漏話を抑制するために、４対のツイストペア線の中心に十字介在物を設け、各ツイストペア線を隔離しているのが一般的である（例えば、特許文献１参照。）。
【０００４】
しかし、上記ＬＡＮケーブルは、十字介在物がツイストペア線間の間隔を広げるだけの構成であるため、ツイストペア線間のクロストークの抑制が十分でない。このため、ツイストペア線の外周に個別にシールド層を設けたペアケーブルが提案されている（例えば、特許文献２参照）。
【先行技術文献】
【特許文献】
【０００５】
【特許文献１】特開２００９−２７７５９２号公報
【特許文献２】特開２０００−１５６１２４号公報
【発明の概要】
【発明が解決しようとする課題】
【０００６】
しかし、特許文献２記載のペアケーブルでは、全てのツイストペア線の外周に個別にシールド層を設けているため、ツイストペア線全体をシールド層で被覆したケーブルよりもコストが高くなってしまう。また、施工時にケーブルの端部にコネクタを接続する際にシールド層を取り除く必要があるため、施工に手間がかかる。
【０００７】
そこで、本発明の目的は、コネクタの接続作業に手間がかからず、ツイストペア線間のクロストークを十分に抑制することが可能なノイズ抑制ケーブルを提供することにある。
【課題を解決するための手段】
【０００８】
本発明は、上記課題を解決するため、複数対のツイストペア線と、絶縁材料に磁性粉が混合されて形成され、前記複数対のツイストペア線を仕切る介在物と、前記複数対のツイストペア線及び前記介在物の周囲を被覆する絶縁材料から形成されたシースと、を備えたノイズ抑制ケーブルを提供する。
【０００９】
前記介在物の前記絶縁材料に対する前記磁性粉の混合比は、５〜６０ｖｏｌ％であるのが好ましい。前記介在物の前記絶縁材料は、樹脂であり、前記介在物は、押出成形によって形成してもよい。
【００１０】
また、本発明は、上記課題を解決するため、複数対のツイストペア線と、絶縁材料に磁性粉が混合されて形成され、前記複数対のツイストペア線を仕切るとともに前記複数対のツイストペア線の周囲を被覆するシースと、を備えたノイズ抑制ケーブルを提供する。
【００１１】
前記シースの前記絶縁材料に対する前記磁性粉の混合比は、５〜６０ｖｏｌ％であるのが好ましい。前記シースの前記絶縁材料は、樹脂であり、前記介在物は、押出成形によって形成してもよい。
【発明の効果】
【００１２】
本発明によれば、コネクタの接続作業に手間がかからず、ツイストペア線間のクロストークを十分に抑制することが可能になる。
【図面の簡単な説明】
【００１３】
【図１】図１は、本発明の第１の実施の形態に係るノイズ抑制ケーブルの概略の構成を示す斜視図である。
【図２】図２は、図１に示すノイズ抑制ケーブルの横断面図である。
【図３】図３は、本発明の第２の実施の形態に係るノイズ抑制ケーブルの横断面図である。
【発明を実施するための形態】
【００１４】
以下、本発明の実施の形態について図面を参照して説明する。なお、各図中、実質的に同一の機能を有する構成要素については、同一の符号を付してその重複した説明を省略する。
【００１５】
［第１の実施の形態］
図１は、本発明の第１の実施の形態に係るノイズ抑制ケーブルの概略の構成を示す斜視図である。図２は、図１に示すノイズ抑制ケーブルの横断面図である。
【００１６】
このノイズ抑制ケーブル１は、複数対（本実施の形態では４対）のツイストペア線２ａ〜２ｄと、絶縁材料としての樹脂３０に磁性粉３１が混合されて形成され、複数対のツイストペア線２ａ〜２ｄを仕切る十字介在物３と、複数対のツイストペア線２ａ〜２ｄ及び十字介在物３の周囲を被覆する絶縁材料から形成されたシース４とを備える。
【００１７】
ツイストペア線２ａ〜２ｄは、導体線２０の周囲を絶縁体２１で被覆して構成されている。ツイストペア線２ａ〜２ｄ４は、例えば１ＭＨｚ〜１０ＧＨｚの信号を伝送する。導体線２０は、単線でも複数の金属細線を撚り合わせたものでもよい。なお、ツイストペア線は、４対に限られず、例えば２対、３対又は５対以上でもよい。
【００１８】
（十字介在物の構成）
十字介在物３は、例えば断面十字形状を有する、十字介在物３を構成する樹脂３０に対する磁性粉３１の混合比は、５〜６０ｖｏｌ％が好ましく、ケーブル加工性とノイズ抑制効果の両面から見て、１０〜４０ｖｏｌ％がより好ましい。
【００１９】
ベースの樹脂３０としては、例えば、塩化ビニル樹脂、エチレン−酢酸ビニル重合体、フッ素系樹脂、シリコーン系樹脂等を用いることができる。
【００２０】
磁性粉３１は、電磁波ノイズを抑制するため、保磁力が小さく透磁率が大きい軟磁性材料からなるものが好ましい。軟磁性材料として、例えば、Ｎｉ−Ｃｕ−Ｚｎ系フェライト粉、Ｎｉ−Ｚｎ系フェライト粉、Ｍｎ−Ｚｎ系フェライト粉、軟磁性金属粉等を用いることができる。磁性粉３１の形状は、粒状、扁平形状、繊維状等でもよい。
【００２１】
十字介在物３は、例えば、樹脂３０に磁性粉３１を混合したものを押出成形することで形成される。なお、十字介在物３は、射出成形によって形成してもよい。
【００２２】
（シース）
シース４は、例えば、十字介在物３に用いたベースの樹脂３０と同様に、塩化ビニル樹脂、エチレン−酢酸ビニル重合体、フッ素系樹脂、シリコーン系樹脂等を用いることができる。
【００２３】
（第１の実施の形態の作用、効果）
第１の実施の形態によれば、以下の作用、効果を奏する。
（１）各ツイストペア線２ａ〜２ｄは、十字介在物３で仕切られ、さらにツイストペア線２ａ〜２ｄから発生する電磁波ノイズは十字介在物３に混合された磁性粉によって抑制されるので、ツイストペア線２ａ〜２ｄ間のクロストークを十分に抑制することが可能になる。
（２）ツイストペア線２ａ〜２ｄの外周にはシールド層を設けていないため、コネクタの接続作業に手間がかからない。
（３）クロストークを抑制する部材を別途用いていないため、部品点数の増加を防ぐことができる。
【００２４】
［第２の実施の形態］
図３は、本発明の第２の実施の形態に係るノイズ抑制ケーブルの横断面図である。第１の実施の形態では、十字介在物を磁性粉入りとしたが、本実施の形態は、十字介在物及びシースを磁性粉入りとして両者を一体化したものである。
【００２５】
本実施の形態のノイズ抑制ケーブル１は、複数対（本実施の形態では４対）のツイストペア線２ａ〜２ｄと、絶縁材料としての樹脂５２に磁性粉５３が混合されて形成され、複数対のツイストペア線２ａ〜２ｄを仕切るとともに、複数対のツイストペア線２ａ〜２ｄの周囲を被覆する十字介在部付きシース５とを備える。
【００２６】
十字介在部付きシース５は、円環状の被覆部５０と、端部が被覆部５０の内周面に接続された十字介在部５１とを備える。十字介在部５１は、４対のツイストペア線２ａ〜２ｄをツイストペア線２ａ〜２ｄ毎に仕切る。十字介在部付きシース５は、例えば、樹脂５２に磁性粉５３を混合したものを押出成形することで形成される。なお、十字介在部付きシース５は、射出成形によって形成してもよい。
【００２７】
（第２の実施の形態の作用、効果）
第２の実施の形態によれば、第１の実施の形態と同様に、コネクタの接続作業に手間がかからず、ツイストペア線間のクロストークを抑制することが可能になる。また、被覆部５０と十字介在部５１とが一体に形成されるので、製造工程を簡素化することができる。
【００２８】
なお、本発明の実施の形態は、上記実施の形態に限定されず、種々な実施の形態が可能である。例えば、第１の実施の形態の十字介在物３又は第２の実施の形態の十字介在部付きシース５の絶縁材料として樹脂の代わりにゴムを用いてもよい。ゴムとしては、天然ゴムや、クロロプレンゴム、ポリブタジエンゴム、ポリイソプレンゴム、エチレンプロピレンゴム、ブタジエンアクリロニトリルゴム、イソブチレンイソプロピレンゴム、スチレンブタジエンゴム等の合成ゴムを用いることができる。
【００２９】
また、上記第１の実施の形態では、断面十字形状を有する十字介在物３でツイストペア線２ａ〜２ｃを仕切ったが、介在物は十字形状に限られない。例えば、介在物をＴ字形状とし、広い方の１つの空間に２対のツイストペア線を配置し、狭い方の２つの空間にそれぞれ１対のツイストペア線を配置してもよい。
【符号の説明】
【００３０】
１…ノイズ抑制ケーブル、２ａ〜２ｄ…ツイストペア線、３…十字介在物、４…シース、５…十字介在部付きシース、２０…導体線、２１…絶縁体、３０…樹脂、３１…磁性粉、５０…被覆部、５１…十字介在部、５２…樹脂、５３…磁性粉
【図１】
2015149164.tif 000003
【図２】
2015149164.tif 000004
【図３】
2015149164.tif 000005